(57)【要約】【課題】一つのメールアドレスでもって受信したメールが配信用のメールか自分宛てのみに通知されたメールかを判別して、メーリングサーバーを介することなく限定された少人数のユーザ同士でメーリングリストを手軽に利用できる通信装置を提供すること。【解決手段】配信用メールアドレスとキーワードが登録されたメーリングリスト手段８を設け、メール手段４で受信したメールの送り元アドレスと配信用メールアドレスとが一致しているか否かを判別し、一致した場合に受信メール内にキ登録されたキーワードの存在を確認し、存在していると判断した場合に送り元以外の配信用メールアドレス宛てに該受信メールを配信するように構成する。【選択図】図１
2007128559.tif 000002
【特許請求の範囲】
【請求項１】
メール送受信可能なメール手段と、配信用メールアドレスとキーワードが登録されたメーリングリスト手段と、受信したメールの送り元のメールアドレスと前記配信用メールアドレスとが一致しているか否かを判別するアドレス判別手段と、受信メール内に前記キーワードと同一のキーワードが存在しているか否かを判断する配信キー判断手段とを備え、前記メール手段で受信したメールを前記アドレス判別手段で判別した結果、該メール送り元のメールアドレスと前記配信用メールアドレスとが一致した場合に前記配信キー判断手段で受信メール内に前記キーワードと同一のキーワードが存在している否かを判断し、存在していると判断した場合に前記メール手段で配信用メールアドレス宛てに該受信メールを配信することを特徴とする通信装置。
【請求項２】
前記キーワードは、メール題名内に設定される所定の文字列であることを特徴とする請求項１記載の通信装置。
【請求項３】
前記キーワードは、メール本文内に設定される所定の文字列であることを特徴とする請求項１記載の通信装置。
【請求項４】
前記メール手段は、前記メーリングリスト手段に記憶されたキーワードをメール題名内に付加して送信するように構成されていることを特徴とする請求項２記載の通信装置。
【請求項５】
前記メール手段は、前記メーリングリスト手段に記憶されたキーワードをメール本文内に付加して送信するように構成されていることを特徴とする請求項３記載の通信装置。
【請求項６】
前記メーリングリスト手段に登録されている複数の配信用メールアドレスに受信したメールを送信する場合に、受信したメールの送り元のメールアドレスには送信しないように構成されていることを特徴とする請求項１から５のいずれか１項に記載の通信装置。
【請求項７】
請求項１から６のいずれか１項に記載の通信装置が、携帯性を有すると共に音声データを送受信する電話機能を設けてなることを特徴とする通信装置。
【発明の詳細な説明】
【技術分野】
【０００１】
本発明は、携帯電話機（ＰＨＳ含む）、設置型電話機、ファクシミリ（携帯型含む）、ＰＤＡ等の電子メール機能を持った通信装置に関する。
【背景技術】
【０００２】
昨今、携帯電話をはじめ電子メール機能を持たせた様々な通信装置が市場を賑わせている。なかでも携帯電話は、電子メール機能を有していなければその商品価値を問われかねないと云っても過言ではない。
【０００３】
ところで、電子会議の一形態として電子メールを利用したメーリングリストなるものがある。このものは、ある特定のメールアドレスにメール送信すると、メーリングリスト用のサーバ端末に予め登録されているメンバー全員にそのメールが自動配信されるサービスであり、特定の趣味等をテーマにしたもの、特定の話題に関するもの等の広場があり、それに同調した者に多く利用されているものである。
【０００４】
このようなメーリングリストを利用したい場合は、通常、上記したような共通の話題に共感を抱いた者が、メーリングリストサービスを供している業者と利用契約を結ぶことでサービスを受けることできるようになっている。もちろん、入会に際し個別的な制約があるかもしれないが、いわば、だれでも入会できるものである。
【０００５】
このようなメーリングリストは、前述した電子メール機能を備えた携帯電話でも利用可能であり、現在の携帯電話は単なる情報を伝達するための一手段に留まらずネットワークコミュニティツールとしての役割を演じている。
【０００６】
ここで、従来の通信装置に関する技術がある（例えば、特許文献１参照）。
【特許文献１】特開２００１−２４３１３４号公報
【発明の開示】
【発明が解決しようとする課題】
【０００７】
しかしながら、従来のメーリングリストは、上記したように、いわば、だれでも入会、利用できるものであり、極めて親密な者同士や、共通の連絡事項を共有する必要がある者同士、たとえば、前者においては特に親しい友達同士（グループ）、後者においては大学などのサークル、等極めて利用者を限定してでのメーリングサービスは本発明者の知り得る範囲においてない。
【０００８】
かりにそのようなサービスがあったとしても、通信装置とは別個に存在させたメーリングリスト用のサーバ端末を介してのサービスであるため、当然のことながらコンピュータ知識に精通した専門スタッフを擁した業としてのサービスとなる。当然、限定された少人数のユーザ夫々が、上記したように業者との利用契約を結ぶ必要があり、手軽に利用できる環境とはいい難い。
【０００９】
そこで、本件発明者は、昨今市場を賑わせている電子メール機能を持たせた様々な通信装置にメーリングリストサーバーとしての機能を付加させることにより、メーリングサーバーを介することなくメーリングリストを手軽に利用できる環境を提供できると知見した。
【００１０】
しかしながら、通信装置にメーリングリストサーバーとしての機能を単に付加させただけでは、通常のメールアドレスに加え業者に専用のメーリングリスト用のメールアドレスを発行してもらわない限り、受信したメールが配信用のメールか自分宛てのみに通知されたメールかを、電子メール契約をした際に割り当てられる一つのメールアドレスでもって判別することはできない。
【００１１】
そこで、本発明は、通常、電子メール契約をした際に割り当てられる一つのメールアドレスでもって受信したメールが配信用のメールか自分宛てのみに通知されたメールかを判別して、メーリングサーバーを介することなく限定された少人数のユーザ同士でメーリングリストを手軽に利用できるメーリングリスト機能を持たせた通信装置を提供することを目的とする。
【課題を解決するための手段】
【００１２】
本発明は、上記課題を解決するために下記の技術的手段を講じた。メール送受信可能なメール手段と、配信用メールアドレスとキーワードが登録されたメーリングリスト手段と、受信したメールの送り元のメールアドレスと前記配信用メールアドレスとが一致しているか否かを判別するアドレス判別手段と、受信メール内に前記キーワードと同一のキーワードが存在しているか否かを判断する配信キー判断手段とを備え、前記メール手段で受信したメールを前記アドレス判別手段で判別した結果、該メール送り元のメールアドレスと前記配信用メールアドレスとが一致した場合に前記配信キー判断手段で受信メール内に前記キーワードと同一のキーワードが存在している否かを判断し、存在していると判断した場合に前記メール手段で配信用メールアドレス宛てに該受信メールを配信するようにした（請求項１）。
【００１３】
前記したキーワードは、メール題名内の設定される所定の文字列としたり（請求項２）、メール本文内に設定される所定の文字列であることが好ましい（請求項３）。
【００１４】
そして、この前記したメール手段は、前記メーリングリスト手段に記憶されたキーワードをメール題名内またはメール本文内に付加して送信するように構成され（請求項４、５）、前記したメーリングリスト手段に登録されている複数の配信用メールアドレスに受信したメールを送信する場合に、受信したメールの送り元のメールアドレスには送信しないように構成されているほうが好適である（請求項６）。そして、このような通信装置は、携帯性を有すると共に音声データを送受信する電話機能を設けたものが良い（請求項７）。
【発明の効果】
【００１５】
本発明における通信装置は以上のように構成したから、下記の有利な効果を奏する。携帯電話（ＰＨＳ含む）、設置型電話機、ファクシミリ（携帯型含む）、ＰＤＡ等の電子メール機能を持った通信装置に、メーリングリスト機能を備えたから、メーリングリスト用のサーバ端末を用意し、或いはメンテナンスすることなしに、すぐに、簡単に、手軽に、経済的にも有利にメーリングリスト機能を利用することができる。
【００１６】
しかも、携帯電話等に割り当てられた１つのメールアドレスだけで、通常のメールとメーリングリストのメール機能を実現している（通常のサーバ端末では複数のメールアドレスを設定することが可能で、メーリングリスト用のメールアドレスと通常のメールアドレスを持っている）。特に携帯電話は、通常１つのメールアドレスしか持つことができないが、本発明を適用すれば、通常１つのメールアドレスでも通常のメールとメーリングリスト機能の使い分けが可能となるため、極めて好適な携帯電話（通信装置）を提供することができる。
【発明を実施するための最良の形態】
【００１７】
次に本発明にかかる通信装置を携帯電話に適用した実施形態を図１〜図３を用いて説明する。本実施形態における携帯電話は、通常の電話機能に加え図１に示すように、通信部１と、キー入力部２と、表示部３と、メール手段４と、ＣＰＵ５と、ＦＲＯＭ６と、記憶部７と、メーリングリスト手段８とが、バスを介して双方向通信可能に接続されて構成される。
【００１８】
通信部１は、電子メールの送受信と電話機能による通話の送受信における通信に必要な制御が行なわれるようになっている。キー入力部２は、携帯電話を操作するためのテンキーや、モード切替等の各種入力を行うためのタッチボタン群からなっており、氏名、電話番号、メールアドレス（配信用含む）やキーワード（詳細は後述する）、メール内容等のアドレスデータや、各種設定情報など各種入力が行われるようになっている。表示部３は、液晶パネルからなり、電話番号やメールアドレス、メール内容などが表示されるようになっている。
【００１９】
ＣＰＵ５は、後述するＦＲＯＭ６に記憶された制御プログラムに基づいて、携帯電話のシステム全体を制御するようになっている。ＦＲＯＭ６（書き換え可能な不揮発性メモリ）は、携帯電話のシステム全体を制御するための制御プログラムと、システムの制御上所要なデータが記憶されている。この制御プログラムには、本発明の一要部であるメーリングリスト機能を実現するための制御手順が盛り込まれ、受信したメールの送り元のメールアドレスと前記配信用メールアドレスとが一致しているか否かを判別するアドレス判別手段と、受信メール内に前記キーワードと同一のキーワードが存在しているか否かを判断する配信キー判断手段、判断結果に基づいて配信メールを送信させるための手順などを含んで構成される。
【００２０】
記憶部７は、ＣＰＵ５が動作する上で必要なワークエリアと、ＦＲＯＭ６への緩衝バッファエリアと、氏名や電話番号、送受信メール、通常のメールアドレス、配信用メールアドレスとキーワード等のアドレスデータが記憶されるエリア等が割り当てられた読み書き可能なメモリで、このアドレスデータは、上記した表示部で確認をとりながらキー入力部２によって入力されて格納されている。
【００２１】
メール手段４とメーリングリスト手段８は、図１において独立して図示されてはいるが、上記したメールアドレスが記憶された記憶部７、通信部１、キー入力部２、表示部３、ＣＰＵ５、ＦＲＯＭ６、からなり、送信メールの作成やメールの送受信が行うように構成される。また、メーリングリスト手段８は、あらかじめメーリングリストを利用する複数のユーザのメールアドレスと配信用メールがどうかを判別するためのキーワードが登録された上記の記憶部７からなっている。
【００２２】
次に、以上のように構成された本実施形態における携帯電話のメールの送受信における一連の動作を、図２および図３を用いて説明する。
【００２３】
１．メール受信
まず、携帯電話は、送信局から送信された電子メールを受信すると（ステップ１）、受信したメールの送り元のメールアドレスと記憶部７に記憶された配信用メールアドレスとが一致しているか否かを判別し（ステップ２）、一致していると判断した場合（ステップ２：Ｙｅｓ）は、受信メールのメール題名内に予めメーリングリストの仲間同士で設定された所定の文字列、たとえば、"題名：本日のskyline １の会議について"この題名中の「skyline １」をメーリングリストを起動するキーワードが存在しているか否かを検索し判断する（ステップ３）。キーワードの存在を確認したら（ステップ３：Ｙｅｓ）、送り元以外の配信メールアドレスに対して受信したメールの内容の複製を送信（ステップ４）して処理が終了する。
【００２４】
この場合、ステップ２において、受信したメールの送り元のメールアドレスと記憶部７に記憶された配信用メールアドレスとが一致しない場合（ステップ２：Ｎｏ）と、ステップ３において、アドレスが一致してもキーワードの存在が確認できない場合（ステップ３：Ｎｏ）は、配信処理を行わずに通常の電子メールとして取り扱われる。
【００２５】
２．メール送信
まず、キー入力部２を用いてメーリングリストの一仲間の送信アドレス、送信メール本文からなる送信メールの作成を開始する（ステップ５）。このとき、配信の有無を決定し（ステップ６）、配信を希望する場合は（ステップ６：Ｙｅｓ）、事前にメーリングリストの仲間同士で合意されたキーワード、たとえば、上記した「skyline １」をメールの題名内に挿入させ（ステップ７）、メール送信を実行（ステップ８）して処理が終了する。配信を希望しない場合（ステップ６：Ｎｏ）は、通常のメールとしてのメール送信を実行（ステップ８）して処理が終了する。
【００２６】
なお、本実施形態における携帯電話は、メール受信時において、登録されているか否かの判断手順（ステップ２）に続いてメール題名内にキーワードがあるか否かの判断手順（ステップ３）としているが（図２参照）、この手順は逆でも良いもので、さらに、キーワードをメール題名内に置いたが、メール本文内に付加しても良いものである。
【図面の簡単な説明】
【００２７】
【図１】本実施形態における携帯電話のシステム構成図である。
【図２】受信時における一連の動作を例示したフローチャートである。
【図３】送信時における一連の動作を例示したフローチャートである。
【符号の説明】
【００２８】
１    通信部
２    キー入力部
３    表示部
４    メール手段
５    ＣＰＵ
６    ＦＲＯＭ
７    記憶部
【図１】
2007128559.tif 000003
【図２】
2007128559.tif 000004
【図３】
2007128559.tif 000005